(57)【要約】      （修正有）【課題】取り出しと放置が便利な挟持装置を有する楽器スタンドを提供する。【解決手段】楽器を放置する楽器スタンドで、底座２と、主棒３と、頂座４と、からなる。主棒３は底座２上に設置される。頂座４は主棒３頂端に設置され、本体４１、及び、本体前端に設置される挟持素子４４を有する。挟持素子４４は相互に枢接する二枢接素子と、枢接素子中に設置されるばね、及び、それぞれ、枢接素子前端に設置される挟持棒を有する。楽器のネックは挟持棒の間に放置される。枢接素子は枢接素子の枢接点に相対し、展開位置と挟持位置の間で回転する。枢接素子が展開位置にあるとき、挟持棒は互いに離れている。挟持位置にあるとき、挟持棒は相互に接近し、楽器のネックを挟持する。【選択図】図２
0003149281.tif 000002
【実用新案登録請求の範囲】
【請求項１】
挟持装置を有する楽器スタンドであって、楽器の放置に適用し、
前記楽器の底部を支承する底座と、
前記底座上に可動設置される主棒と、
前記主棒の頂端に設置され、本体、及び、前記本体前端に設置される挟持素子を有し、前記挟持素子は相互に枢接する二枢接素子と、前記枢接素子中に設置されるばね、及び、それぞれ、前記枢接素子前端に設置される二挟持棒を有する頂部と、からなり、
前記楽器のネックは前記挟持棒の間に放置され、前記枢接素子は前記枢接素子の枢接点に相対し、展開位置と挟持位置の間で回転し、前記枢接素子が前記展開位置にあるとき、前記挟持棒は互いに離れ、前記挟持位置にあるとき、前記挟持棒は相互に接近し、前記ばねが弾性回復力を提供して、前記枢接素子を前記展開位置に回復させることを特徴とする挟持装置を有する楽器スタンド。
【請求項２】
更に、前記主棒上に設置され、前記底座と前記頂座の間に位置する搭載素子を有し、前記搭載素子は、相互に枢接する二搭載素子を有し、前記の各搭載素子は、前端に設置され、且つ、前記楽器を放置する搭載棒、及び、表面に形成され、且つ、もう一つの搭載素子に近接する装着孔を有することを特徴とする請求項１に記載の挟持装置を有する楽器スタンド。
【請求項３】
前記挟持素子は、更に、前記枢接素子中に穿設される枢接棒を有し、前記第一枢接素子は、表面から前記第二枢接素子向きに突出する枢接部を有し、前記第二枢接素子は、前記枢接部と回転可能で係合する枢接槽を有し、前記枢接棒は、同時に、前記枢接部と前記枢接槽を穿過することを特徴とする請求項１に記載の挟持装置を有する楽器スタンド。
【請求項４】
前記第一枢接素子は前記第二枢接素子と接触する表面上に形成される肩部を有し、前記第二枢接素子は前記第一枢接素子と接触する表面上に形成され、前記肩部と係合する係合部を有することを特徴とする請求項１に記載の挟持装置を有する楽器スタンド。
【請求項５】
前記頂座は、更に、前記本体前端に設置され、且つ、前記本体と前記挟持素子の間に回転可能に設置される延伸棒、及び、前記延伸棒末端から上向けに延伸し、且つ、前記枢接素子上方に位置する制限素子を有し、前記制限素子は前記枢接素子と隔てられていることを特徴とする請求項１に記載の挟持装置を有する楽器スタンド。
【請求項６】
更に、前記主棒底部に設置される緊迫盤を有し、前記底座は、直立状態の支承棒、及び、前記支承棒相隣端部間に連接される結合板を有することを特徴とする請求項１に記載の挟持装置を有する楽器スタンド。
【請求項７】
更に、前記底座頂端に設置される解除装置を有し、前記解除装置は、前記主棒表面に設置される固定座、前記固定座と結合する制動素子、及び、前記固定座と前記制動素子間に設置される緊迫ブロックを有し、前記主棒は表面に形成される凹槽を有し、前記緊迫ブロックは、表面に形成され、前記凹槽と係合する凸出部を有することを特徴とする請求項１に記載の挟持装置を有する楽器スタンド。
【請求項８】
前記挟持素子は、更に、それぞれ、前記枢接素子前端に設置される二軟性パッドを有することを特徴とする請求項１に記載の挟持装置を有する楽器スタンド。
【請求項９】
前記枢接素子は、それぞれ、前記ばねと接触する表面上に形成される凸点を有することを特徴とする請求項１に記載の挟持装置を有する楽器スタンド。
【請求項１０】
挟持装置を有する楽器スタンドであって、楽器の放置に適用し、本体と、
前記本体前端に設置され、第一枢接素子、前記第一枢接素子と枢接される第二枢接素子、前記枢接素子中に設置されるばね、及び、前記枢接素子前端にそれぞれ設置される二挟持棒、を有する挟持素子と、からなり、
前記枢接素子は、前記枢接素子の枢接点に相対し、展開位置と挟持位置の間で回転し、前記枢接素子が前記展開位置にあるとき、前記挟持棒は互いに離れていて、前記挟持位置にあるとき、前記挟持棒は相互に接近し、前記ばねが弾性回復力を提供して、前記枢接素子を前記展開位置に回復させることを特徴とする挟持装置を有する楽器スタンド。
【請求項１１】
更に、前記本体前端に設置され、且つ、前記枢接素子上方に位置する二制限棒を有し、前記制限棒は前記枢接素子と隔てられていることを特徴とする請求項９に記載の挟持装置を有する楽器スタンド。
【考案の詳細な説明】
【技術分野】
【０００１】
本考案は、楽器スタンドに関するものであって、特に、挟持装置を有する楽器スタンドに関するものである。
【背景技術】
【０００２】
図１は、公知の楽器スタンド１を示す図で、楽器スタンド１は、底座１１、底座１１から上向けに延伸する主棒１２、及び、主棒１２頂端に設置された頂座１３、からなる。
【０００３】
底座１１は支承棒１１１、支承棒１１１と結合される二補助棒１１２、及び、それぞれ、水平方向Xに補助棒１１２の底部に設置される底棒１１３、を有する。底棒１１３は地面から離れている。
【０００４】
主棒１２の頂端は水平方向Xで前に湾曲する。
【０００５】
頂座１３はU字型の固定棒１３１、及び、固定棒１３１開口両端を封閉する可動棒１３２を有する。可動棒１３２は、固定棒１３１の一端に枢接される枢接端１３３、及び、固定棒１３１のもう一端と結合する結合端１３４を有する。
【０００６】
使用時、まず、可動棒１３２を、開放方向Aに開き、楽器１００（ギターなど）を底棒１１３に置き、底棒１１３により楽器の重量を支承し、且つ、楽器１００のネックは、固定棒１３１のU字型開口内に抵接し、可動棒１３２を旋転させて、固定棒１３１と結合すれば、楽器１００が安定した放置状態を維持する。
【０００７】
しかし、可動棒１３２は固定棒１３１と結合しているので、楽器１００を取り出す時、可動棒１３２を開かないと楽器が出せず、使用上不便である。
【考案の概要】
【考案が解決しようとする課題】
【０００８】
本考案の目的は、取り出しと放置が便利な挟持装置を有する楽器スタンドを提供することにある。
【０００９】
本考案のもう一つの目的は、壁面に装着できる挟持装置を有する楽器スタンドを提供することにある。
【課題を解決するための手段】
【００１０】
本考案の楽器を放置する楽器スタンドは、底座と、主棒と、頂座と、からなる。主棒は底座上に設置される。頂座は主棒頂端に設置され、本体、及び、本体前端に設置される挟持素子を有する。挟持素子は相互に枢接する二枢接素子と、これらの枢接素子中に設置されるばね、及び、それぞれ、枢接素子前端に設置される挟持棒を有する。楽器のネックは挟持棒の間に放置される。枢接素子は枢接素子の枢接点に相対し、展開位置と挟持位置の間で回転する。枢接素子が展開位置にあるとき、挟持棒は互いに離れている。挟持位置にあるとき、挟持棒は相互に接近し、楽器のネックを挟持する。
【考案の効果】
【００１１】
本考案により、楽器の取り出しと放置が便利になる。
【図面の簡単な説明】
【００１２】
【図１】公知の楽器スタンドの立体組み合わせ図である。
【図２】本考案の第一実施例による立体組み合わせ図である。
【図３】本考案の第一実施例による挟持素子の局部立体分解図である。
【図４】本考案の第一実施例による挟持素子の組み合わせ後の状態を示す局部立体図である。
【図５】本考案の第一実施例による挟持素子の内部構造を示す局部断面図である。
【図６】本考案の第一実施例によるもう一つの局部断面図で、楽器を挟持素子に放入した状態を示す図である。
【図７】本考案の第一実施例によるもう一つの局部断面図で、楽器を挟持素子に放入した状態を示す図である。
【図８】本考案の第一実施例による更にもう一つの局部断面図で、楽器を挟持素子に放入し、且つ、挟持素子が平衡に回復した状態を示す図である。
【図９】本考案の第一実施例による第一枢接素子が肩部を有し、第二枢接素子が係合部を有することを示す局部後視図である。
【図１０】本考案の第一実施例による解除装置の局部断面図である。
【図１１】本考案の第一実施例による収合状態の立体組み合わせ図である。
【図１２】本考案の第二実施例による楽器を展示した状態を示す立体組み合わせ図である。
【図１３】本考案の第二実施例による搭載素子を示す局部立体分解図である。
【図１４】本考案の第二実施例による二搭載棒が二装着孔に装着され、楽器を搭載した状態を示すもう一つの立体組み合わせ図である。
【図１５】本考案の第三実施例の立体組み合わせ図で、壁面に装着した状態を示す図である。
【図１６】本考案の第三実施例の立体組み合わせ図で、楽器を展示した状態を示す図である。
【考案を実施するための形態】
【００１３】
図２〜図４は、本考案の第一実施例による楽器スタンドを示す図で、楽器の放置に適用し、底座２、主棒３、頂座４、緊迫盤５、及び、解除装置６、からなる。楽器２００は、本実施例中、ギターであるが、その他の楽器でもよい。
【００１４】
底座２は楽器２００の底部を支承するもので、傘の骨組が開いた状態の支承棒２１、及び、支承棒２１の相隣する端部間に連接された結合板２２を有する。
【００１５】
主棒３は、底座２上に可動設置される。
【００１６】
頂座４は主棒３頂端に設置され、本体４１、本体４１前端に、回転可能に設置される延伸棒４２、延伸棒４２末端から上向けに延伸する制限素子４３、及び、本体４１前端に設置される挟持素子４４、を有する。
【００１７】
挟持素子４４は、第一枢接素子４４１、第一枢接素子４４１と枢接する第二枢接素子４４２、これらの枢接素子４４１、４４２に設置されるばね４４３、それぞれ、枢接素子４４１、４４２前端に設置される二軟性パッド４４４、及び、二挟持棒４４５、枢接素子４４１、４４２前端に穿設される枢接棒４４６、からなる。第一枢接素子４４１は表面から第二枢接素子４４２向きに突出する枢接部４４７を有する。第二枢接素子４４２は、枢接部４４７と回転可能で結合する枢接槽４４８を有する。枢接棒４４６は、同時に、枢接部４４７と枢接槽４４８を穿過し、延伸棒４２末端に装着される。ばね４４３は弾性回復力を提供する。軟性パッド４４４は、楽器２００が放置時に施力不当で衝撃を受けるのを防止する。
【００１８】
図５、図８で示されるように、枢接素子４４１、４４２は、これらの枢接点に相対して、展開位置と挟持位置の間で回転する。枢接棒４４６が穿設する位置が枢接素子４４１、４４２の枢接点である。枢接素子４４１、４４２が展開位置に位置する時、挟持棒４４５は遠くに離れ、この時、挟持棒４４５の間の距離はDである。楽器２００のネックを挟持棒４４５の間に放置する時、枢接素子４４１、４４２は、楽器２００の重量を受けて、ばね４４３の弾性回復力が挟持位置まで自動的に落ちるのを克服し、且つ、挟持棒４４５は互いに接近すると共に、楽器２００のネックを挟持し、この時、挟持棒４４５の間の距離はｄで、且つ、距離ｄは距離Dより小さい。よって、楽器２００の重心が下がり、垂直に吊掛した状態になる。
【００１９】
しかし、図６〜図８のように、楽器２００のネックを挟持棒４４５の間に放置する時、挟持素子４４は受ける力が不均一なことにより揺動し、制限素子４３は枢接素子４４１、４４２上方に位置し、且つ、枢接素子４４１、４４２は隔てられているので、挟持素子４４は、平衡状態になるまで、一揺動範囲内に制限される。注意すべきことは、枢接素子４４１、４４２は、それぞれ、ばね４４３と接触する表面上に形成される凸点４４９を有して、ばね４４３の力が両アーム上にかかるようにし、力が末端に位置して止まることがない。
【００２０】
この他、ばね４４２は弾性回復力を提供し、枢接素子４４１、４４２を展開位置に回復させるので、楽器２００は、挟持棒４４５の間から取り出された後、枢接素子４４１、４４２は、弾性回復力の作用を受けて展開位置に回復する。
【００２１】
図９のように、第一枢接素子４４１は、更に、第二枢接素子４４２と接触する表面上に形成される肩部４４１’を有し、第二枢接素子４４２は、第一枢接素子４４１と接触する表面上に、肩部４１１’と係合する係合部４４２’を有する。よって、第一枢接素子４４１が弾性回復力の作用を受けて展開位置に回復する時、係合部４４２’と肩部４４１’が互いに係合して水平状態で停止する。
【００２２】
図２のように、緊迫盤５は主棒３底部に設置され、支承棒２１を結合板２２に向けて緊迫させ、支承棒２１が更に、しっかりと地面で直立する。
【００２３】
図２、図１０のように、解除装置６は底座頂端に設置され、主棒３表面に設置される固定座６１、回転可能で固定座６１と結合する制動素子６２、及び、主棒３と制動素子６２間に設置される緊迫ブロック６３を有する。主棒３は表面に形成された凹槽３１を有する。緊迫ブロック６３は、表面に形成され、凹槽３１と係合する凸出部６３１を有する。制動素子６２は内向けに制動し、凸出部６３１が凹槽３１に係入し、内向けに主棒３を緊迫させるだけでなく、主棒３が固定座６１で上下に滑動するのを防止することができる。
【００２４】
図１１のように、まず、延伸棒４２を矢印の方向に制動させ、制動素子６２を緩め、底座２を上向けに収束させると、収合状態になる。最後に、制動素子６２を内向けに制動して、収合状態に固定し、収納時に占有する空間を節約する。
【００２５】
図１２〜図１４は、本考案の挟持装置を有する楽器スタンドの第二実施例を示す図で、第一実施例と異なるのは、第二実施例は更に、主棒３上で、底座２と頂座４の間に設置された搭載素子７を有することである。
【００２６】
搭載素子７は、相互に枢接する二搭載素子７１を有し、各搭載素子７１は、前端に設置され、且つ、楽器２００を放置する搭載棒７１１、及び、表面に形成され、且つ、もう一つの搭載素子７１に近接する装着孔７１２を有する。使用者は、搭載棒７１１を外すと共に、装着孔７１２内に装着すれば、異なる外形の楽器にも使用できる。また、使用者は、楽器２００を搭載棒７１１に放置する時、搭載素子７が短時間内で平衡状態になり、搭載素子７１は相互に枢接するので、上向けに収折して、収納時に占める空間を減少させる。
【００２７】
図１５、図１６は、本考案の挟持装置を有する楽器スタンドの第三実施例を示す図で、壁面３００上に装着でき、本体４１、楽器２００を放置する挟持素子４４、及び、二制限棒４５からなる。挟持素子４４の構造、及び、使用方法は上述の実施例と相同であるので詳述しない。制限棒４５は本体４１前端に設置され、枢接素子４１１、４２２上方に位置し、枢接素子４１１、４４２と隔てられ、故に、楽器２００は挟持棒４４５の間に放置される時、挟持素子４４は、平衡状態になるまで、揺動範囲内で制限される。
【００２８】
上述のように、挟持棒４４５は楽器２００のネックを挟持し、楽器２００を搭載棒７１１上に放置すると、安定して放置でき、使用者は楽器２００を上に持ち上げるだけで円滑に取り出すことができ、公知のように取りにくいという問題がない。
【符号の説明】
【００２９】
200  楽器
2    底座
21   支承棒
22   結合板
3    主棒
31   凹槽
4    頂座
41   本体
42   延伸棒
43   制限素子
44   挟持素子
45   制限棒
441  第一枢接素子
441’肩部
442  第二枢接素子
442'
係合部
443  ばね
444  軟性パッド
445  挟持棒
446  枢接棒
447  枢接部
448  枢接槽
449  凸点
5    緊迫盤
6    解除装置 
61   固定座
62   制動素子
63   緊迫ブロック 
631  凸出部
7    搭載装置
71   搭載素子
711  搭載棒
712  安裝孔
公知技術
1    楽器スタンド
11   底座
12   主棒
13   頂座
100  楽器
111  支承棒
112  補助棒
x    水平方向
113  托棒
131  固定棒
132  可動棒
133  枢接端
134  結合端
A    開放方向
【図１】
0003149281.tif 000003
【図２】
0003149281.tif 000004
【図３】
0003149281.tif 000005
【図４】
0003149281.tif 000006
【図５】
0003149281.tif 000007
【図６】
0003149281.tif 000008
【図７】
0003149281.tif 000009
【図８】
0003149281.tif 000010
【図９】
0003149281.tif 000011
【図１０】
0003149281.tif 000012
【図１１】
0003149281.tif 000013
【図１２】
0003149281.tif 000014
【図１３】
0003149281.tif 000015
【図１４】
0003149281.tif 000016
【図１５】
0003149281.tif 000017
【図１６】
0003149281.tif 000018